(57)【要約】      （修正有）【課題】霧状になった液体が目的とする対象物以外に付着したり、必要以上に拡散したりすることを防止することができる荷電型噴霧器を提供する。【解決手段】ポンプ式噴霧器可動部のハンドル６を後方に引き付けるとバネ７はハンドル６の圧力により後方底部に押し付けられる。この時バネ７の底部の浮き輪型圧電デバイス１はハンドル６とバネ７の圧力により変形し発電する。浮き輪型圧電デバイス１に生じた電圧は配線３で放水口の噴出孔８に隣接する放電用電極４に送電され吸水管９から放水口に運ばれた液体に通電し、帯電した霧状の液体はハンドル６の圧力で噴出孔８から対象物に向かい誘導される。【選択図】図２
0003184382.tif 000002
【実用新案登録請求の範囲】
【請求項１】
外部からの圧力を効率よく電力に変える目的で、積層圧電シートを中空の圧電アクチェータに成型し、中央に空間を設けたことを特徴とする浮き輪型圧電デバイス
【請求項２】
ポンプ型噴霧器によって霧状になった液体に帯電させる目的で、噴霧器のポンプ内可動部バネ底部に、請求項１の浮き輪型圧電デバイスを隣接設置したことを特徴とする荷電型噴霧器
【考案の詳細な説明】
【技術分野】
【０００１】
本考案は、荷電型噴霧器に関する。
【背景技術】
【０００２】
噴霧器には口で息を吹き込む式、手押し式、ポンプ式などがあるが、本考案の荷電型噴霧器はポンプ式噴霧器のポンプの改良に関する考案である。従来のポンプ式噴霧器とは水を始め薬剤、芳香剤、消臭剤、香水などの液体を圧力で排出部に設けた口金の微細な穴即ち噴出孔から押し出すことで霧状にする道具である。ポンプ式噴霧器の用途には園芸用の薬剤散布用器具や衣服の成型用アイロンの補助器具の他に、トイレ用消臭剤や室内用芳香剤などのエチケットスプレー、整髪用スプレー、香水スプレー、肌の保湿用ミントスプレーなど美容器具があり、其々の用途に合わせ容量や形状を変えて使い分けられている。
【先行技術文献】
【特許文献】
【０００３】
【特許文献１】特願2012−244254
【特許文献２】特願2012−244255
【特許文献３】特願2007−143388
【考案の概要】
【考案が解決しようとする課題】
【０００４】
其々の用途に合わせて使い分けられているポンプ式噴霧器の中には、空気に混入させ拡散させる目的のトイレ用消臭剤や室内用芳香剤などのエチケットスプレーと、対象を決めて吹きかける目的の整髪スプレーや香水スプレー保湿ミントスプレーの二種類があり、其々の目的の違いによって容量や形状、使用方法も異なっている。霧状にする液体が香水のように高価な場合には、目的とする対象物以外にその香水が拡散することは使用者にとって極めて遺憾であり、また整髪料など安価であっても目的とする対象物以外に付着することを避けたい場合があるが、従来のポンプ式噴霧器ではそれらは使用者の技量に任されている。
【課題を解決するための手段】
【０００５】
本考案では目的とする対象物にポンプ式噴霧器を使用する際、霧状になった液体を荷電することで対象物に誘導させ上記の課題を解決した。
【考案の効果】
【０００６】
本考案の、荷電型噴霧器を使用することで、霧状になった液体が目的とする対象物以外に付着したり、必要以上に拡散したりすることを防止する効果が期待できる。
【考案を実施するための形態】
【０００７】
本考案に係る荷電型噴霧器のポンプ部分の改良について図面を用いて説明する。なお本考案の荷電型噴霧器の電源については実施例１、実施例２ともに発電型の浮き輪型圧電デバイスを電源とし蓄電型のボタン電池などの実施例は割愛した。
【実施例１】
【０００８】
図１はハンドル付き荷電型噴霧器のポンプに使用する浮き輪型圧電デバイスの配線の正面図である。浮き輪型圧電デバイス本体１は一部切断され目視を可能にしている。設置可能範囲を増やし既設の備品(本実施例では送水管)を挿入して設置位置の確保を容易にする目的で中央に空間を設け、さらに外部からの圧力を効率よく電力に変える目的で中空にした浮き輪型圧電デバイス本体１は電極２を備え、電極２は配線３を備え、配線３は先端に放電用電極４を備えている。
図２はハンドル付きポンプの正面図である。ハンドル付きポンプ本体５は噴出孔８を含む放水口の一部と、浮き輪型圧電デバイス１バネ７を含む可動部の一部が共に切断され内部の目視が可能である。ハンドル６を後方に引き付けるとバネ７はハンドル６の圧力により後方底部に押し付けられる。この時バネ７の底部に隣接して備えられた浮き輪型圧電デバイス１はハンドル６とバネ７の圧力により変形し発電する。浮き輪型圧電デバイス１に生じた電圧は配線３で放水口の噴出孔８に隣接する放電用電極４に送電され吸水管９から放水口に運ばれた液体に通電し、帯電した霧状の液体は噴出孔８からハンドル６の圧力で対象物に向かい誘導される。      
【実施例２】
【０００９】
図３はプッシュ式荷電型噴霧器のポンプに使用する浮き輪型圧電デバイスの配線図である。電極12配線13放電用電極14を備えた第一浮き輪型圧電デバイス11、電極16配線17をそなえた第二浮き輪型デバイス15、バネ18である。
図４はプッシュ式ポンプの正面図である。プッシュ式ポンプ10の噴出孔19を含む放水口の一部と第一浮き輪型圧電デバイス11及び第二浮き輪型圧電デバイス15バネ18を含む可動部の一部が切断され内部の目視が可能である。噴出孔19を備えた頭部を下方に押し下げるとバネ18は圧力により下方底部に押し付けられる。この時バネ18の底部に隣接して備えられた第一浮き輪型圧電デバイス11と第二浮き輪型圧電デバイス15はバネ18の圧力により変形し発電する。第二浮き輪型圧電デバイス15に生じた電圧は配線17でバネ18に、第一浮き輪型圧電デバイス11に生じた電圧は配線13で噴出孔19に隣接する放電用電極14に送電され、吸水管20から噴出孔19に運ばれた液体に通電し、帯電した霧状の液体はバネ18の圧力で対象物に向かい誘導される。
また本考案の浮き輪型圧電デバイスの実施例としては、その形状から玩具などの発電用電源としての利用も期待できる。
【産業上の利用可能性】
【００１０】
積層型圧電フイルムで作成した浮き輪型圧電デバイスを荷電型噴霧器のポンプの電源に使用することで噴出孔より荷電した霧状の液体は対象物に向かい誘導され、霧状になった液体が目的とする対象物以外に付着したり必要以上に拡散したりすることを防止する効果が期待できる。
また浮き輪型圧電デバイスは玩具類の動力など、自己発電型の発電デバイスとしての利用可能性が期待できる。
【図面の簡単な説明】
【００１１】
【図１】ハンドル付き荷電型噴霧器のポンプに使用する浮き輪型圧電デバイスの配線の正面図
【図２】ハンドル付き荷電型噴霧器のポンプの正面図
【図３】プッシュ式荷電型噴霧器のポンプに使用する浮き輪型圧電デバイスの配線図
【図４】プッシュ式荷電型噴霧器のポンプの正面図
【符号の説明】
【００１２】
１  浮き輪型圧電デバイス本体
２  電極
３  電極２の配線
４  放電用電極
５  ハンドル付きポンプ本体
６  ハンドル
７  バネ
８  噴出孔
９  給水管
10  プッシュ式ポンプ
11  プッシュ式ポンプ第一浮き輪型圧電デバイス
12  プッシュ式ポンプ第一浮き輪型圧電デバイスの電極
13  プッシュ式ポンプ第一浮き輪型圧電デバイスの配線
14  プッシュ式ポンプ第一浮き輪型圧電デバイスの放電用電極
15  プッシュ式ポンプ第二浮き輪型圧電デバイス
16  プッシュ式ポンプ第二浮き輪型圧電デバイスの電極
17  プッシュ式ポンプ第二浮き輪型圧電デバイスの配線
18  プッシュ式ポンプのバネ
19  プッシュ式ポンプの噴出孔
20  プッシュ式ポンプの給水管
【図１】
0003184382.tif 000003
【図２】
0003184382.tif 000004
【図３】
0003184382.tif 000005
【図４】
0003184382.tif 000006
【手続補正書】
【提出日】平成25年3月28日(2013.3.28)
【手続補正１】
【補正対象書類名】実用新案登録請求の範囲
【補正対象項目名】請求項２
【補正方法】変更
【補正の内容】
【請求項２】
浮き輪型に成型された浮き輪型圧電デバイスと、ポンプ型噴霧器とを備え、前記ポンプ型噴霧器のポンプ内可動部バネ底部に、前記浮き輪型圧電テバイスを隣接配置し、前記ポンプ型噴霧器の噴出孔近傍に、前記浮き輪型圧電デバイスに接続された放電用電極を配設したことを特徴とする荷電型噴霧器。